(57)【特許請求の範囲】
【請求項１】
通気透液性表面シートと、通気不透液性裏面シートと、これら両シート間に介在する吸収性コアとを有し、前記裏面シートの側方への延出部分と、前記延出部分に接合するシート材料とによってウイングを形成し、前記ウイングの着用ショーツ当接面に粘着性の止着域が形成されているウイング付き生理用ナプキンであって、
前記シート材料が、前記表面シートであり、前記ナプキンの幅方向へ連続的に延び前記ナプキンの長さ方向へ間欠的に配設された複数の接合部分において、前記裏面シートの延出部分と該延出部分の基端部分とに接合していることを特徴とする前記ナプキン。
【請求項２】
通気透液性表面シートと、通気不透液性裏面シートと、これら両シート間に介在する吸収性コアとを有し、前記裏面シートの側方への延出部分と、前記延出部分に接合するシート材料とによってウイングを形成し、前記ウイングの着用ショーツ当接面に粘着性の止着域が形成されているウイング付き生理用ナプキンであって、
前記シート材料が、前記表裏面シートとは異なる通気性の上面シートであり、前記ナプキンの幅方向へ連続的に延び前記ナプキンの長さ方向へ間欠的に配設された複数の接合部分において、前記裏面シートの延出部分と該延出部分の基端部分とに接合していることを特徴とする前記ナプキン。
【請求項３】
前記接合部分は、前記ウイングに螺線を画いて塗布された粘着剤のうちの前記ナプキンの幅方向へ延びる部分である請求項１または２記載のナプキン。
【請求項４】
前記接合部分は、前記ウイングにおいて幅方向へ連続した直線を描くように粘着剤を塗布することによって形成されている請求項１または２のいずれかに記載のナプキン。
【請求項５】
前記複数の接合部分の前記ウイングに占める面積割合が、３〜６０％である請求項１〜４のいずれかに記載のナプキン。
【請求項６】
前記ナプキンの周縁に沿って延びて前記表裏面シートを互いに接合する接合線を有し、前記接合線が溶着によって設けられて前記ウイングの基端部近傍において前記コアの側縁と並行に延び、前記接合線によっても前記シート材料が前記裏面シートに接合している請求項１〜５のいずれかに記載のナプキン。
【発明の詳細な説明】
【０００１】
【発明の属する技術分野】
この発明は、ウイング付き生理用ナプキンに関する。
【０００２】
【従来の技術】
特開平７−３０３６７０号公報には、ウイング付き生理用ナプキンが開示され、表面シートと裏面シートとを接合することにより形成されたウイングが例示されている。また、ナプキンの裏面シートに通気不透液性のプラスチックフィルムを使用することがあることは、一般によく知られている。かかるプラスチックフィルムは、例えばポリエチレン樹脂と硫酸バリウムや炭酸カルシウムの微粒子との混合物から得られる押出しフィルムを延伸することによって製造される。
【０００３】
【発明が解決しようとする課題】
前記混合物から製造される通気不透液性プラスチックフィルムは、あまり引き裂き強度の高いものではないから、このフィルムを裏面シートに使用して形成されたウイングは、汚れたナプキンを着用ショーツから剥がそうとして引張るときに、基端部分がナプキンの長手方向に沿って裂けてしまうことがある。表面シートをこのフィルムの補強材として接合することにより、ウイングの引き裂き強度を向上させることは可能であるが、接合の仕方によってはウイングの部分においてフィルムの通気性が損われる。ウイングは、その全体が着用ショーツの外側へ折曲されるとは限らず、ショーツの内側に位置して着用者の肌に当接することがある。そのような可能性を有するウイングで通気性が損われるということは好ましくない。
【０００４】
この発明が課題とするところは、生理用ナプキンにおいて、通気不透液性の裏面シートでウイングを形成する際に、ウイングの通気性を損うことなく引き裂き強度を向上させることにある。
【０００５】
【課題を解決するための手段】
前記課題を解決するためのこの発明は、第１発明と第２発明とからなる。これら第１および第２発明が前提とするのは、通気透液性表面シートと、通気不透液性裏面シートと、これら両シート間に介在する吸収性コアとを有し、前記裏面シートの側方への延出部分と、前記延出部分に接合するシート材料とによってウイングを形成し、前記ウイングの着用ショーツ当接面に粘着性の止着域が形成されているウイング付き生理用ナプキンである。
【０００６】
かかる前提において、第１発明が特徴とするところは、前記シート材料が、前記表面シートであり、前記ナプキンの幅方向へ連続的に延び前記ナプキンの長さ方向へ間欠的に配設された複数の接合部分において、前記裏面シートの延出部分と該延出部分の基端部分とに接合していること、にある。第２発明が特徴とするところは、前記シート材料が、前記表裏面シートとは異なる通気性の上面シートであり、前記ナプキンの幅方向へ連続的に延び前記ナプキンの長さ方向へ間欠的に配設された複数の接合部分において、前記裏面シートの延出部分と該延出部分の基端部分とに接合していること、にある。
【０００７】
【０００８】
好ましい実施態様の他の一つにおいて、前記接合部分は、前記ウイングに螺線を画いて塗布された粘着剤のうちの前記ナプキンの幅方向へ連続的に延びる部分である。
好ましい実施態様の他の一つにおいて、前記接合部分は、前記ウイングにおいて幅方向へ連続した直線を描くように粘着剤を塗布することによって形成されている。
【０００９】
好ましい実施態様の他の一つにおいて、前記複数の接合部分の前記ウイングに占める面積割合が、３〜６０％である。
【００１０】
好ましい実施態様のさらに他の一つにおいて、前記ナプキンは、該ナプキンの周縁に沿って延びて前記表裏面シートを互いに接合する接合線を有し、前記接合線が溶着によって設けられていて前記ウイングの基端部近傍において前記コアの側縁と平行に延び、前記接合線によっても前記シート材料が前記裏面シートに接合している。
【００１１】
【発明の実施の形態】
添付の図面を参照し、この発明に係るウイング付き生理用ナプキンの詳細を説明すると、以下のとおりである。
【００１２】
図１、２はウイング付き生理用ナプキン１の部分破断斜視図と、ＩＩ−ＩＩ線断面図であって、ナプキン１を取り付けられるショーツ５が仮想線で示されている。ナプキン１は、通気透液性の表面シート２と、通気不透液性の裏面シート３と、これら両シート２，３間に介在する吸収性コア４とを有する。表裏面シート２，３は、コア４の周縁から延出して重なり合い、その周縁に沿って延びる接合線６において互いに接合し、線６の外側に、長さ方向へ並行する一対の側縁部フラップ７と、幅方向へ並行する一対の端縁部フラップ８とを形成している。側縁部フラップ７のそれぞれは、一部分が側方へ延出してウイング１１を形成している。接合線６は、ホットメルト等の粘着剤のほか、圧搾溶着条溝で設けられ、ウイング１１の基端部近傍においてコア４の側縁と並行に延びている。図では、ウイング１１の一方がショーツ５の股下域の外面へ折り重ねられており、ウイング１１のもう一方が側方へ延びた状態にある。ウイング１１は、その下面に塗布された粘着剤１５（図２参照）を介してショーツ５に剥離可能に止着される。
【００１３】
ウイング１１では、互いに重なり合う表面シート２と裏面シート３とが、ナプキンの幅方向へ連続的に延び、長さ方向へ間欠的に配設された複数の接合部分１２Ａからなる接合域１２において接合している。接合部分１２Ａは、粘着剤塗布部分１２Ａまたは溶着部分１２Ａである。図１に示されたナプキン１では、接合部分１２Ａが、ウイング１１において幅方向へ連続した直線を描くように塗布された粘着剤によって形成されている。接合部分１２Ａの面積は、シート２，３の通気性を著しく妨げることがないように、ウイング１１の面積の３〜６０％にとどめられる。接合部分１２Ａは、ウイング１１の基端部分１１Ａとなるナプキン１の側縁部フラップ７にまで延びていることがある。
【００１４】
かかるナプキン１において、通気透液性表面シート２には、坪量１０〜８０ｇ／ｍ２を有する熱可塑性合成繊維の不織布やレーヨン繊維の不織布、孔径０．１〜５ｍｍの多数の開孔を有する厚み０．０１〜０．１ｍｍのプラスチックフィルム等が使用される。通気不透液性の裏面シート３には、硫酸バリウムや炭酸カルシウムの微粒子を３０〜７０重量％含むポリエチレン等の延伸フィルムが使用される。このフィルムは非常に柔軟で肌触りのよいものであるから、このフィルムから得られるウイング１１もまた柔軟で肌触りのよいものになる。ウイング１１の接合部分１２Ａが間欠的に配設されることも、ウイング１１を柔軟で肌触りのよいものにするうえで重要である。コア４には、粉砕パルプや粉砕パルプと高吸水性ポリマー粒子との混合物が使用される。粘着剤塗布域１２には、例えばゴム系のホットメルト接着剤が塗布される。
【００１５】
このナプキン１を着用するときには、図１、２に示されるように、それぞれのウイング１１をショーツ５の脚周り縁部に沿って折曲し、粘着剤１５を介して股下域の外面に止着する。汚れたナプキン１は、ウイング１１をショーツ５から剥がして廃棄されるが、そのときに、ウイング１１がショーツ５から完全には剥がれていないのにナプキン１が図１の矢印Ａの方向へ持ち上げられることがある。すると、ウイング１１の基端部分１１Ａには、長手方向に沿う引き裂き力が作用し、ウイング１１が通気不透液性フィルムのみで構成されている場合には、その引き裂き力に負けて、基端部分１１Ａで破れてしまい、ウイング１１のみがショーツ５に残ることがある。
【００１６】
しかし、このナプキン１では、ウイング１１が表面シート２によって補強されているので引き裂き強度が高く、ナプキン着用者は、ウイング１１が引き裂ける前に、ウイング１１はショーツ５から未だ完全には剥離していないということに気づくことができる。また、ウイング１１では、粘着剤塗布部分１２Ａが間欠的に形成されているので、粘着域１２の存在によって表裏面シート２，３の通気性を損うということがない。それゆえ、このナプキン１では、ウイング１１が肌に当接するような着用状態でも、蒸れやかぶれを誘発することがない。さらにはまた、粘着剤塗布部分１２Ａは、長手方向と交差する方向へ連続的に延びているから、それが長手方向へ延びる場合に比べて、ウイング１１が長手方向へ裂けるのを効果的に防止できる。
【００１７】
図３は、この発明の実施態様の一例を示すナプキン１のウイング１１とその近傍の部分破断平面図である。ウイング１１は、通気不透液性の裏面シート３と、表面シート２とは異なる通気性の熱可塑性合成繊維不織布からなる上面シート２１とで形成され、これら両シート３，２１が、長さ方向へスパイラル、即ち螺線を画いて延びる複数条の粘着剤塗布部分１２Ａからなる塗布域１２において互いに接合している。上面シート２１は、表面シート２に替わる補強シートであって、ナプキン１の内方へ延びて側縁部フラップ７において表面シート２の上に重なり、線６において表裏面シート２，３と上面シート２１とが接合している。塗布域１２には、ナプキン１の幅方向へ連続的に延び、かつ、長手方向において互いに離間している粘着剤塗布部分１２Ａが形成されており、隣り合うスパイラルの部分１２Ａと１２Ａとが協働して、図１において幅方向へ延びている粘着剤塗布部分１２Ａと同様に、ウイング１１が長さ方向へ裂けるのを防止している。
【００１８】
【発明の効果】
この発明に係る生理用ナプキンでは、通気不透液性のプラスチックフィルムからなる裏面シートが側方へ延出している部分と、この部分に接合する補強シートとによってウイングを形成し、これら裏面シートと補強シートとを、ナプキンの幅方向へ延び、長さ方向へ間欠的に配設される接合部分からなる接合域において接合したから、ウイングは通気性であって、しかもナプキンの長さ方向へ容易に裂けることがない。
【００１９】
ナプキンの周縁に沿って表裏面シートを接合する接合線が溶着によって設けられ、しかもその接合線がウイングの基端部近傍にコアの側縁と並行に延びる態様では、前記接合線は、該線を横切って裏面シートの延出部分および／またはウイングを裂く作用を阻止する機能をも有し、前述のウイングの裂き防止効果がさらに向上される。
【図面の簡単な説明】
【図１】  ナプキンの部分破断斜視図。
【図２】  図１のＩＩ−ＩＩ線断面図。
【図３】  発明の実施態様の一例を示すナプキンの要部破断平面図。
【符号の説明】
１    ナプキン
２    表面シート（シート材料）
３    裏面シート
４    コア
１１    ウイング
１１Ａ    基端部分
１２    接合域
１２Ａ 接合部分
２１    シート材料（上面シート）
【図１】
0004190074.tif 000002
【図２】
0004190074.tif 000003
【図３】
0004190074.tif 000004